(57)【要約】【課題】発明の対象はプラグを収容するためのモジュール（３６）を有する平行六面体形状のケージを備えた雌コンタクトである。【解決手段】本発明の目的は、信頼性の高い電気接続を達成し、大きさの異なるプラグを挿入することができるコンタクトを産業的に実現することである。【選択図】図１
2004520687.tif 000002
【特許請求の範囲】
【請求項１】
上面（１６）、下面（１８）および２つの側面（２０、２２）を有し、プラグを収容することができる平行六面体状のケージを備えた雌コンタクトであって、
上下面（４２−１、４２−２）がケージの上面（１６）および下面（１８）と平行で、本体（３８）が、手前部分（３８‐１）と、奥部分（３８‐２）と、該手前部分と奥部分との間に位置し、互いに対向する曲線状で、本体の上面（４２‐１）と下面（４２‐２）とほぼ同一平面内に位置する少なくとも２つのブレード（４０）とを有するブレードモジュール（３６）を備えたことを特徴とする雌コンタクト。
【請求項２】
対向する曲線状のブレード（４０）は、その頂点が互いに近接する方向を向いていることを特徴とする請求項１に記載の平行六面体状のケージを有する雌コンタクト。
【請求項３】
それぞれのブレード（４０）は、中央部に長さ方向のスリット（４４‐１、４４‐２）によって２つに分割（４０−１ないし４０‐４）されていることを特徴とする請求項１又は２の何れかに記載の平行六面体状のケージを有する雌コンタクト。
【請求項４】
前記分割されたブレード（４０）の同じ表面の側にあるものの接触位置は、一方が手前側に他方が奥側に互いにずれていることを特徴とする請求項３に記載の平行六面体状のケージを有する雌コンタクト。
【請求項５】
モジュールの本体（３８）は、ケージ（１２）の折り曲げによって形成された少なくとも２つの折り返し（１６−１、１６‐２）によって保持され、挿入方向（２４）を基準にしてケージの手前側に配置されていることを特徴とする請求項１ないし４の何れかに記載の平行六面体状のケージを有する雌コンタクト。
【請求項６】
ケージ（１２）に設けられた開口（４８）と、モジュールの本体（３８）に形成された変形部（４６）とを有することを特徴とする請求項１ないし５の何れかに記載の平行六面体状のケージを有する雌コンタクト。
【請求項７】
少なくとも１つの窓（４８）の長さ方向の大きさは前記変形部の長さ方向の大きさよりも大きく、遊びＪを有することを特徴とする請求項１ないし６の何れかに記載の平行六面体状のケージを有する雌コンタクト。
【請求項８】
ブレードモジュール（１３６）は、長さと直交する面で切った断面が閉じた形状である２つの枠、すなわち、手前側の枠（１３８‐１）と奥側の枠（１３８‐２）を有し、ブレード（１４０）を保持する枠の２つの面（１４２‐１、１４２‐２）がケージの上面（１１６）と下面（１１８）と平行であることを特徴とする請求項１ないし７の何れかに記載の平行六面体状のケージを有する雌コンタクト。
【請求項９】
ケージは少なくとも２つの開口（１５２‐１ないし１５２−４）を有し、前記枠は、前述の窓と嵌合する少なくとも２つの突出した面（１３８−３ないし１３８‐６）を有することを特徴とする請求項８に記載の平行六面体状のケージを有する雌コンタクト。
【請求項１０】
前記表面（１３８−３〜１３８‐６）の突出量は、開口（１５２−１〜１５２−４）を有するケージの壁の厚さとほぼ等しいことを特徴とする請求項９に記載の平行六面体状のケージを有する雌コンタクト。
【請求項１１】
ケージが４つの開口（１５２−１〜１５２−４）を有し、枠が４つの突出する側面（１３８‐３〜１３８‐６）を有し、奥の２つの開口（１５２−１、１５２−２）の長さはそれらが収容する側面（１３８−３、１３８−４）の長さよりも大きく、遊びＪを有することを特徴とする請求項８ないし１０の何れかに記載の平行六面体状のケージを有する雌コンタクト。
【請求項１２】
モジュールの本体（３８）の上面（４２−１）と下面（４２‐２）それぞれに少なくとも１つのほぞ（５０−１〜５０−４）が上下面と同一面内に設けられ、ケージ（１２）に形成された開口（５２−１、５２−２）と契合することを特徴とする請求項１ないし８の何れかに記載の平行六面体状のケージを有する雌コンタクト。
【請求項１３】
４つのほぞが設けられ、２つのほぞは手前側の部分に、他の２つのほぞは奥側の部分に形成され、奥側のほぞを収容するための奥側の開口（５２‐２）の長さ方向の大きさは対応するほぞの長さ方向の大きさよりも大きく、遊びＪを有することを特徴とする請求項１２に記載の平行六面体状のケージを有する雌コンタクト。
【請求項１４】
ブレードモジュール（２３６、３３６）は、モジュールと一体となって、ケージ内に設置される少なくとも１つの保持ばね（２５０、３５０）を奥側に有することを特徴とする請求項１ないし１３の何れかに記載の平行六面体状のケージを有する雌コンタクト。
【請求項１５】
保持ばね（２５０、３５０）は、屈曲した中間部とケージ内で支持される先端部（２５０−３、３５０−３）を有することを特徴とする請求項１４に記載の平行六面体状のケージを有する雌コンタクト。
【請求項１６】
保持ばね（２５０）は、屈曲部（２５０−１、２５０−２、２５０‐３）を有してＺ字型であることを特徴とする請求項１４または１５の何れかに記載の平行六面体状のケージを有する雌コンタクト。
【請求項１７】
前記Ｚ字型の保持ばねは３つの部分（２５０−１、２５０−２、２５０‐３）を有し、第１の部分（２５０‐１）はモジュール（２３６）と共に切断されて形成され、第２の部分（２５０‐２）は手前側に傾斜してばね効果を発揮し、先端の第３の部分（２５０‐３）は第１の部分と平行でケージ内に固定されることを特徴とする請求項１６に記載の平行六面体状のケージを有する雌コンタクト。
【請求項１８】
ばね（２５０、３５０）は先端部分（２５０−３、３５０‐３）でケージに溶接（２５１、３５１）されていることを特徴とする請求項１４ないし１７の何れかに記載の平行六面体状のケージを有する雌コンタクト。
【請求項１９】
平板を折り曲げて製作したケージの上面の接合線（２２８、３２８）上で、ばね（２５０、３５０）の先端部分（２５０−３、３５０‐３）がケージと溶接（２５１、３５１）されていることを特徴とする請求項１４ないし１８の何れかに記載の平行六面体状のケージを有する雌コンタクト。
【請求項２０】
前記モジュール（３６）は硬い本体と柔軟なブレードを有することを特徴とする請求項１ないし１９の何れかに記載の平行六面体状のケージを有する雌コンタクト。
【発明の詳細な説明】
【技術分野】
【０００１】
本発明は、枠型あるいは保持ばねを有することができるブレードモジュールを有するケージを備えた雌コンタクトに関するものである。
【背景技術】
【０００２】
ケージを有する雌コンタクトは、具体的には米国特許第５６１３８８５号によって公知である。この種のコンタクトは、当該ケージの前面に挿入されるプラグを収容するように設計されている。後方には、導線と接続するための弾性を有する突出部を備えている。
【０００３】
【特許文献１】米国特許第５６１３８８５号公報
【０００４】
この種のコンタクトの問題は、確実な電気的接続に関するものである。加えて、ソケットとケージの間の電気的な接続は十分な信頼性を有している必要がある。
【０００５】
この種のコンタクトは小さく、例えば車載接続部材のように厳しい環境下で使用されることになる。大きな温度変化に曝されるために非常に高い信頼性が要求される。
【０００６】
剛性の高い構造体であるケージ内に柔軟性を有するブレードを設けて電気的接続を確保するコンタクトは知られている。
前述の特許では、長さ方向にＣ型に折り曲げられてケージの全長にわたって収容されたブレードが開示されている。該ブレードは各部分が変形して通路を狭めると共にブレードにはばね力が付与される。
【０００７】
本発明は、効率的で信頼性の高い電気接続を確保することができ、プラグを抜き出し再挿入しても損傷が無く、工業レベルでの製造が可能な雌コンタクトを提供することを目的とする。
【０００８】
また、プラグを抜いた後も応力の緩和によってモジュールが外れてしまうことがあってはならない。
この種のコンタクトのさらに別の問題は、フレッチング腐食である。この現象はプラグとコンタクトケージの間の振動と摩擦によって生じるものである。金属粉が剥がれ落ち、酸化することによって金属相互間の導電性を低下させる。この現象は、一旦生じると、急激に進展する。
【０００９】
具体的には、この種のコンタクトは小型化の要求にも答えるものである。大きさについて凡その概念を示せば、コンタクトケージの板厚が０．２ｍｍ程度、ブレードの厚さは０．１ｍｍ程度、プラグは０．６×１．２ｍｍ程度である。
【００１０】
本発明のコンタクトは、直径の異なるプラグを収容することができ、極性化手段を設けることもできる汎用性を有する。
【発明を実施するための最良の形態】
【００１１】
ケージを有する雌型コンタクト１０を図１に示す。
図に示したコンタクトは、正確に言えば平行六面体状のケージ１２と、図示しないケーブル接続手段１４とを有する。
【００１２】
前記ケージは、本発明の場合、平板を折り曲げて製造することができ、破線で示したプラグ２６の挿入方向２４から見れば、互いに対向した上面１６、下面１８、右側面２０と左側面２２を有する。平板を折り曲げた際に形成される接続線２８は、上面１６に位置する。
【００１３】
従来技術として知られているように、ケーブル接続手段１４は、ケーブルの導線を把持するためのフランジ３０とケーブルの被覆を把持するためのフランジ３２とを有する。
ケージと該ケーブル接続手段１４は中間部３４によって連結されている。
【００１４】
本発明を実施するための最良の形態の１つでは、前記ケージのそれぞれの面の長さ方向の端部には折り返し１６−１、１８−１、２０−１、２２−１が形成されている。
図２に示す好ましい実施形態は、折り返し１６−１と１８−１のみを有する。
【００１５】
図２にはさらにブレードモジュール３６が示されている。
ブレードモジュールは、硬い本体３８とブレード４０を有する。
図に示した実施形態では、硬い本体３８の、それぞれ別個の部分である手前部分３８−１と奥部分３８−２の長さと直交する方向の断面はＵ字状である。
【００１６】
ブレードは、２つの上方ブレード４０−１、４０−２と２つの下方ブレード４０−３、４０−４からなる合計４つで、本体３８の手前部分と奥部分を連結している。ブレードはそれぞれの頂部が互いに近接するように対向する曲線状である。
【００１７】
該ブレードは、具体的には本体３８と同時に製造され上面４２−１と下面４２−２を延長したものである。該ブレードは、曲線状ではあるが、手前部分と奥部分のＵ断面のフランジと凡そ同一平面内に位置する。長さ方向に伸びるスリット４４−１、４４−２によってそれぞれ一対のブレードに分割されている。
【００１８】
上述のブレードは長さに沿ってほぼ完全に対称形であるが、図３に示した変形例は非対称である。図ではブレードモジュール３６だけを詳細に示した。
対をなす曲線状ブレードそれぞれの、プラグと接する頂点は、長さ方向にずれている。従って、上側のブレード４０−１、４０−２に関しては、一方のブレードの接点は手前寄りにあり、他方のブレードの接点は奥寄りにある。下側のブレードについても同様であり、４つの接点が弾性力によって接触を確実に行い、同時に、特にプラグを確実でバランス良く支持して良好な電気的な接続の達成に寄与する。
【００１９】
一方の側のブレードの接点が手前側で、対向する側のブレードの接点が奥側であってもよい。これは簡単なバリエーションの１つである。
【００２０】
上述の構成では、ブレードモジュールの上面４２−１と下面４２−２はケージ１０の上面１６と下面１８に平行で、Ｕ型の底面がケージの側面と平行である。
具体的には、ブレードモジュールの上面と下面は図４Ｂに示したように、ケージの折り返し１６−１、１８−１の下に把持されて固定される。
【００２１】
モジュールを折り返しの下に固定する構成によって、折り返しをプラグとの追加的な接点とし、さらにプラグの挿入ガイドとすることも可能である。
【００２２】
ブレードモジュールをケージの中の所定の位置に保持するために、折り返しの下に固定する構造に加えてあるいはこれに代えて、図４Ａに示した実施態様のように、変形部４６からなる手段を設けることもできる。
例えばプレスによって形成するこの変形部は、ケージの本体、より正確に言えばケージの下面１８に形成された開口４８と協働する。
【００２３】
しかし、開口部の長さ方向の大きさは変形部を収容するために必要な長さよりも大きく遊びＪを有する。この遊びによって、プラグを挿入してブレードが平らに変形したときに、ブレードの長さが大きくなるような変形が可能になる。この時、ブレードモジュールの長さは大きくなる。
【００２４】
変形部をケージに設けて、開口部をブレードモジュールに形成しても同様の結果を得ることができる。
図５は、ケージ本体へのブレードモジュールの配置に関する他の変形例を示したものである。
既出のものと同一の部材には同じ番号を付した。
【００２５】
ブレード４０の上面と下面４２−１、４２−２の、手前側３８−１と奥側３８−２にはそれぞれほぞ５０−１〜５０−４が形成されている。
ほぞは、それが形成されている上下面と同一平面内に位置し、ケージの板厚とほぼ等しい寸法だけ突出している。
【００２６】
ケージ本体１２の右側面２０、ほぞに対応する表面の手前側と奥側には、ほぞ５０−１〜５０−４を収容するための２つの開口５２−１、５２−２がこれに対応する形状で形成されている。
【００２７】
前述の構造から類推できるように、既に述べた理由で、奥側の開口５２−２の長さ方向の大きさは対応するほぞの長さ方向の大きさよりも大きく、プラグを挿入する際にブレードとブレードモジュールが伸びるために必要な遊びＪを有している。
【００２８】
別の構造では、上面のほぞと下面のほぞからなる１組のほぞが、１つの開口と嵌合する。
【００２９】
誤挿入の可能性を排除するために、上記のケージ型コンタクトに既知の極性手段を付設することができる。極性手段は、例えば、相補的形状を有する図示しない凸部と凹部によって非対称形状を有するケージである。
【００３０】
このような構造を有する雌コンタクトは、側壁が１つ無いためにブレードモジュールの幅が小さく、同時に幅の異なるコンタクトブレードを収容することも可能である。
【００３１】
図６〜８には、枠型ブレードモジュールと称する第１の変形例を示す。既に述べた部材と同じ部材は、前出の番号に１００を加えた番号によって示した。
図６に、ケージ型雌コンタクト１１０を示す。
該コンタクトは、正確には平行六面体形状のケージ１１２と、図示しないケーブルとの接続手段１１４を有する。
【００３２】
ケージは平板を折り曲げて製造され、互いに対向する上面１１６と下面１１８、破線で示されたプラグ１２６の挿入方向１２４からみて右側面１２０と左側面１２２を有する。平板を折り曲げた後に生じる接合線１２８は上面１１６に位置する。
【００３３】
周知のように、接合手段１１４はケーブルの金属部分を把持するためのフランジ１３０とケーブルの被覆を把持するためのフランジ１３２を有する。
ケージと接合部分は中間部１３４によって連結されている。
図には、併せて枠型のブレードモジュール１３６を示した。
【００３４】
ブレードモジュールは硬い本体１３８とブレード１４０を有する。
この実施態様の場合は、硬い本体１３８の、互いに離れた手前部分１３８−１と奥部分１３８−２の長さと直交する方向の断面は、閉じた枠状である。
【００３５】
ブレードは、２つの上部ブレード１４０−１、１４０−２および２つの下部ブレード１４０−３、１４０−４の４つのブレードからなり、本体１３８の手前部分と奥部分を連結している。ブレードは、それぞれの頂部が対向するような曲線を描いている。
【００３６】
これらのブレードは具体的には本体１３８と共に製造され、曲線状である点を除いて、上面１４２−１と下面１４２−２とほぼ同一平面に位置する。長さ方向に伸びる中央のスリット１４４−１と１４４−２によって２組のブレードが形成される。
【００３７】
ブレードは長さ方向に沿って完全な対称性を有する。
上述の構造に関しては、ブレードモジュールの上面１４２−１と下面１４２−２は、ケージ１１０の上面１１６と下面１１８と平行である。
このブレードモジュールは、枠を構成する手前部分１３８−１と奥部分１３８−２の側面１３８−３〜１３８−６がいずれもその他の部分に比較して突出している点が特徴である。この突出量は、ケージの側壁１２０、１２２の板厚とほぼ同じである。
【００３８】
図７は、ブレードモジュールを挿入した状態のコンタクトを示す斜視図である。一部を断面で示した上面図８を図７と併せて見るとコンタクトの構成を一層良く理解することができる。
【００３９】
ケージ本体１１２の、ブレードモジュールの固定用側面１３８−３〜１３８−６に対応する右側面と左側面１２０、１２２の対応する位置には、ブレードモジュールの突出した側面を収容するために、奥側の開口１５２−１、１５２−２と手前側の開口１５２−３、１５２−４が形成されている。
【００４０】
奥側の開口１５２−１、１５２−２の長さ方向の寸法は、収容すべき側面１３８−３、１３８−４の長さ方向の寸法よりも大きく、接続すべきプラグを挿入したときにブレードとブレードモジュールが長さ方向に伸びるために必要な遊びＪを確保している。
プラグを挿入する際には、ブレードは平坦になり必然的にブレードモジュールの長さは大きくなる。
【００４１】
上記の構造の場合、ブレードモジュールは、一旦装着されると挿入されていたプラグを引き抜いて応力が開放されても移動は阻止され、ケージ内の所定の位置に残ることが理解される。
【００４２】
上述の構造の利点の１つは、ケージと殆ど一体化されることによってケージ体積の有効利用が可能なことである。表面の突出部の突出量がケージの側壁の厚さとほぼ等しいので、該突出部はケージの側壁内に収まりケージの内部空間を自由に使用可能にして、ケージの大きさに対して大きな寸法のプラグを収容可能にする。
【００４３】
前出の図面では折り曲げて製造するケージを示したが、ケージ自体が開いてしまうことを防止するためには、必須ではないが、例えばレーザー照射によって接合線１２８上の１箇所又は複数箇所を溶着することが役に立つ。このことはケージの剛性を高めることにも寄与する。
【００４４】
上記のように製造されたケージは剛性が高く、対称形のブレードモジュールは一旦装着されると非常にしっかりしており、同時に製造も容易である。
【００４５】
上述の突出部は、前記側面１３８−３〜１３８−６の全てではなく、手前側の１組の側面１３８−５、１３８−６か、側面に設けられた１組１３８−３と１３８−５または１３８−４と１３８−６のように数が少なくても良い。
【００４６】
ケージの内部空間を一層有効に利用することのできる非対称な実施態様も可能で有り、このような実施態様が好ましい場合もある。
前述の実施態様では、プラグを挿入するためのケージの開口に形成された折り返しは必ずしも必要ではない。この場合には折り返しのための切断と折り曲げ工程を簡略化することができる。平板を切断する際、ケージを形成しブレードモジュールが配置された状態でプラグを容易に挿入することができるように、板の端面に若干の傾斜を形成しておくことが好ましい。
【００４７】
誤挿入の危険性を排除するために、上述のコンタクトケージに既知の極性化手段を設けることもできる。極性化手段は、例えば、互いに相補的な図示しない凸部と凹部のような形式のものである。
【００４８】
上述のコンタクトの製造工程は簡素であり、製造費用は低廉である。
【００４９】
次に共通の性質を有する２つの変形例を詳細に説明するが、既に述べた第１の実施態様と同じ部材には既に使用した番号に２００あるいは３００を加えた番号を付した。
【００５０】
図９Ａに、正確に言えば平行六面体上のケージ２１２と図示しないケーブルとの接続手段２１４を有する雌コンタクト２１０を示す。
この実施例の場合もケージは平板を折り曲げて製造されたもので、互いに対向する上面２１６と下面２１８、及び、破線で示したプラグ２２６の挿入方向２２４からみて右側面２２０と左側面２２２を有する。平板を折り曲げた後の接合線２２８は、上面２１６に位置する。
【００５１】
折り曲げて製造されたこのケージは、ケージ自体が開いてしまうことを防止するために、接合線２２８に沿って１つあるいは複数の、例えばレーザーによって溶接された点を有する。溶接によってケージの剛性が向上する。
【００５２】
従来製品から知られているように、接合手段２１４はケーブルの金属部分を把持するためのフランジ２３０とケーブルの被覆部分を把持するためのフランジ２３２とを有する。
【００５３】
ケージと接合手段とは、連結部２３４によって繋げられている。
同図には保持ばねを有するブレードモジュール２３６を示す。
該ブレードモジュールは本体２３８とブレード２４０とを有する。
この実施例においては、本体２３８は、長さ方向と直交する方向の断面形状は閉じた枠状である、それぞれ別の手前部分２３８−１と奥部分２３８−２を有する。
【００５４】
ブレードは上部ブレード２４０−１、２４０−２と下部ブレード２４０−３、２４０−４からなる４枚であり、本体２３８の手前部分と奥部分とを連結している。ブレードは、頂部がそれぞれ対抗するブレードの頂部に近づくように曲線状である。
【００５５】
具体的には、該ブレードは本体２３８と共に製造され、曲線状である点を除外すれば前記上面２４２−１と下面２４２−２とほぼ同一平面内に有る。長さ方向に沿って中央に形成されたスリット２４４−１、２４４−２によって２組のブレードに分割されている。
【００５６】
該ブレードモジュールは長さに沿って完全な対称性を有する。
上述の構成の場合、ブレードの上面２４２−１と下面２４２−２は、それぞれケージ２１０の上面２１６と下面２１８に平行である。
【００５７】
上記モジュールの他の部分全体に比較して突出した手前部分２３８‐１と奥部分２３８‐２の側壁２３８−３〜２３８−６は、同一形状である。凸部の突出量はケージの側壁２２０、２２２の板厚とほぼ同じである。
【００５８】
枠２３８−２、２３８−１の側面２３８‐３と２３８−５は、折り曲げ加工の後の接合線と直交する方向の剛性を増大させるために互いに嵌合する形状で接合されているが、この構成は保持ばねを有するこの構成の場合には好ましいものである。
【００５９】
上記モジュールには２５０と付番したＺ字型の保持ばねが設けられている。このばねは、折れ曲がった中間領域と支持のための先端部分とを有する。より正確には、当該ばねは上面２４２‐１の延長によって構成されており、第１の部分２５０‐１は上面を延長した部分が相当する。第２の部分２５０‐２はモジュールの高さｈとほぼ等しい高さを有し、手前側に屈曲して、２つ目の折れ曲がりに至っている。先端に位置する第３の部分２５０−３は第１の部分と平行で第１の部分を超えて奥の方向に向かって伸びている。２ヶ所で折れ曲がって形成されたＺの形状は、当該部分を収容するケージの内部空間の高さよりも若干大きな保持ばねである。このことによって保持ばね２５０を若干圧縮された状態にしておくことができる。当該ばねの各部分は前出のブレードのように２つの部分に分割されてそれぞれが独立して動くことができる構造であっても良い。同様に、ばねの形状は適宜変更することができ、後に述べる最後の実施形態のように、必要な特性が得られるようにケージの内面と接触するものである限り本発明の範疇に含まれるものである。
【００６０】
ケージ本体２１２の、モジュールの固定のための側壁２３８−３〜２３８−６と対応する側壁２２０、２２２の対応する位置に、モジュールの突出する側壁を収容するための手前側の左右の開口２５２−１、２５２−２と奥側の左右の開口２５２−３、２５２−４が形成されている。
【００６１】
手前側と奥側の開口それぞれの長さ方向の大きさは、収容する側壁２３８−３と２３８−４それぞれの大きさよりも大きく、図１０Ｂに示すように、それぞれの開口内に遊びｊが確保されている。収容すべきプラグを挿入する際にブレードとモジュールが動くことができるためにはこの遊びが必要である。
【００６２】
プラグを挿入する際は、ブレードは曲率が小さくなるように変形し、必然的にモジュールの長さは大きくなる。
【００６３】
一旦挿入されたプラグを引き抜いて応力が低下してもモジュールはケージ内の所定の位置に保持されることが理解される。
【００６４】
保持ばね２５０は、図９Ｂに示すように例えばレーザー光線又はその他の方法で例えば１箇所の溶接２５１によってケージに溶接するのが好ましい。この溶接は先端部分２５０‐３の先端で行うことができる。これによってモジュール全体が固定されるがコンタクトにプラグを挿入する際の動きは許容される。
【００６５】
ケージを形成するための平板を、接合線２２８が下面２４２−２に来るように折り曲げることもできる。この場合、先端部分２５０‐３の溶接部分２５１は、接合線２２８に沿った下面部分とする。
【００６６】
さらに、上記のような溶接接合は極めて高い導電性を有する。
【００６７】
ばねは、ケージの開口部とモジュールの側壁の協働作用によって手前側と奥側で保持されており、振動によってモジュールに生じる軸方向の動きはばねによって小さな範囲±ｊに抑制される。
【００６８】
一方の側面については、１つの開口の軸方向の大きさだけが収容する側面の大きさよりも大きく遊びを有する変形例も考えられる。
【００６９】
この種の構成の利点の１つは、実質的に一体構造としてケージの体積を有効利用し得ることである。前記凸部の突出量がケージの側壁の厚さとほぼ同じであるために、凸部はケージの側壁の厚さの中に収容され、ケージの内部空間を開放してケージの大きさの割に最大のプラグを収容することができる。
【００７０】
図１０Ａと１０Ｂでは、図９Ａと９Ｂに示したＺ字型のばねを有する前出の実施態様と同じ部材については参照番号に１００を加えて参照する。保持ばね３５０が異なり先端部３５０‐３を有するＣ字型のものが示されている。さらに、当該ばねは、後方部分３３８−２の下面３４２‐２を延長して構成されている。保持ばねは先端部３５０‐３の一部３５１においてケージの上面３１６に溶接されている。当該溶接は、上面３１６を直接横切るように行うこともできる。この場合、屈曲した中間領域も支持のための先端部分も不要である。
【００７１】
ケージを構成する板材の溶着と先端部３５０‐３の溶着を同一の溶接部３５１で行うことが可能である。
プラグと接触する部位の「フレッチング腐食」現象を回避することができる。
【００７２】
上述の実施態様における側面３３８‐３〜３３８−６の代わりに、手前側の１組３３８−５、３３８−６または側方の１組３３８−３、３３８−５あるいは３３８−４、３３８−６のみが突出していても良い。
【００７３】
上述の実施態様の場合に、プラグを挿入する開口の折り返しは必須ではない。この場合折り返しのための切断と折り曲げを排除することができる。平板を切断する際、ケージを形成してモジュールが設置されたときにプラグの挿入を容易にするために板の端面を斜めに面取りを形成しても良い。
【００７４】
誤挿入の危険を排除するために、既に知られている手段を用いて上述のコンタクトケージを極性化することもできる。極性化手段は、例えば、図示しない凸部とこれに対応する凹部とをケージに形成することである。
【００７５】
上記のコンタクトは、折り曲げ工程が１つ追加されるだけなので、製造コストが低廉で産業レベルでの製造工程は簡素である。部材の追加は不要である。保持ばねの固定はケージの溶接個所と同一個所で同時に行うことができる。
【００７６】
上述の実施形態ではブレードが４つであったが、ブレードは２つであっても、適宜増減しても良い。
上述のケージは剛性が高く、設置した後は強固に固定され、工業的な製造が容易である。
【図面の簡単な説明】
【００７７】
【図１】ケージを有する雌コンタクトの斜視図である。
【図２】ブレードモジュール全体と一部切り開いたケージとを示す斜視図である。
【図３】ブレードモジュールの側面図である。
【図４】図４Ａはブレードモジュールをケージに設置する方法を一部切り開いて示した斜視図であり、図４Ｂはブレードモジュールを設置した状態のケージの長さ方向の断面図である。
【図５】ブレードモジュールの設置方法の変形例を切り開いて示した斜視図である。
【図６】ケージを有する雌コンタクトと枠型のブレードモジュールの変形例を切り開いて示した斜視図である。
【図７】枠型のブレードモジュールを取り付けたケージの側面図である。
【図８】枠型のブレードモジュールを取り付けたコンタクトモジュールを部分的に切り開いて示した下面図である。
【図９】図９Ａはケージを有する雌コンタクトと保持ばねを備えたブレードモジュールの一部を切り開いて示した斜視図であり、図９Ｂはケージを有する雌コンタクトに保持ばねを備えたブレードモジュールを取り付けて一部を切り開いて示した斜視図である。
【図１０】図１０ＡはＣ型の保持ばねを有する図９Ａに示した実施態様の変形例であり、図１０ＢはＣ型の保持ばねを取り付けたブレードモジュールを有するケージを後方から見た斜視図である。
【国際公開パンフレット】
2004520687.tif 000003
2004520687.tif 000004
2004520687.tif 000005
2004520687.tif 000006
2004520687.tif 000007
2004520687.tif 000008
2004520687.tif 000009
2004520687.tif 000010
2004520687.tif 000011
2004520687.tif 000012
2004520687.tif 000013
2004520687.tif 000014
2004520687.tif 000015
2004520687.tif 000016
2004520687.tif 000017
2004520687.tif 000018
2004520687.tif 000019
2004520687.tif 000020
2004520687.tif 000021
2004520687.tif 000022
2004520687.tif 000023
2004520687.tif 000024
2004520687.tif 000025
2004520687.tif 000026
2004520687.tif 000027
2004520687.tif 000028
2004520687.tif 000029
2004520687.tif 000030
2004520687.tif 000031
【国際調査報告】
2004520687.tif 000032
2004520687.tif 000033
2004520687.tif 000034
2004520687.tif 000035
2004520687.tif 000036
2004520687.tif 000037